(57)【要約】【課題】除霜ヒータの熱を効率良く冷却器に伝え除霜時間を短縮して、貯蔵室内への熱の流入を抑制し冷却時間を短くすることで、消費電力を低減した冷蔵庫を提供することを目的とする。【解決手段】ガラス管内にコイル状に巻かれたヒータ線を有する除霜ヒータを冷却器の下方に備えた冷蔵庫において、前記ガラス管の外周に放熱部材を備え、前記放熱部材は帯状薄板をコイル状に巻き付け、内周がガラス管の外周に接するか若しくは近接するように前記ガラス管に取付けられており、且つ、前記放熱部材の外周に曲げ部を複数有する。【選択図】  図４
2013024443.tif 000002
【特許請求の範囲】
【請求項１】
ガラス管内にコイル状に巻かれたヒータ線を有する除霜ヒータを冷却器の下方に備えた冷蔵庫において、前記ガラス管の外周に放熱部材を備え、前記放熱部材は帯状薄板をコイル状に巻き付け、内周がガラス管の外周に接するか若しくは近接するように前記ガラス管に取付けられており、且つ、前記放熱部材の外周に曲げ部を複数有することを特徴とする冷蔵庫。
【請求項２】
前記放熱部材の前記曲げ部の曲げ方向は、前記冷蔵庫内に有する庫内送風ファンの回転方向に沿っており、前記庫内送風ファンによる風の流れを阻害しないことを特徴とする、請求項１記載の冷蔵庫。
【請求項３】
前記放熱部材の前記曲げ部の曲げ方向は、前記除霜ヒータの側方に位置する冷気戻り口からの風の流れを阻害しない向きであることを特徴とする、請求項１又は２記載の冷蔵庫。
【請求項４】
前記放熱部材の前記曲げ部同士が接するか近接して、前記除霜ヒータを貯蔵室側から見たとき、前記曲げ部により前記ガラス管の全部若しくは一部を遮断することを特徴とする、請求項１乃至３のいずれかに記載の冷蔵庫。
【請求項５】
前記除霜ヒータは、前記冷却器の投影面にある貯蔵室の底面よりも下部に配置したことを特徴とする、請求項１乃至４のいずれかに記載の冷蔵庫。
【発明の詳細な説明】
【技術分野】
【０００１】
本発明は、冷蔵庫に関する。
【背景技術】
【０００２】
帯状薄板の放熱部材を巻き付けた除霜ヒータに関する従来技術として、特許第３９４４４９８号公報（特許文献１）がある。この例では、ガラス管内にコイル状に巻かれたヒータ線を有する除霜ヒータを冷却器の下方に備えた冷蔵庫において、前記ガラス管の外周に放熱部材を備え、前記放熱部材は帯状薄板をコイル状に巻き付け、その内周がガラス管の外周に接するか若しくは近接するようにガラス管に取付けられている。
【先行技術文献】
【特許文献】
【０００３】
【特許文献１】特許第３９４４４９８号公報
【発明の概要】
【発明が解決しようとする課題】
【０００４】
特許文献１では、除霜ヒータの熱が冷却器を通らず貯蔵室に流入し、貯蔵室内の温度を上昇させ冷却時間が長くなってしまう可能性がある。また、冷却器に効率良く熱が伝わっていないことから、除霜時間が長くなる可能性がある。
【０００５】
そこで、本発明は、除霜ヒータの熱を効率良く冷却器に伝え除霜時間を短縮して、貯蔵室内への熱の流入を抑制し冷却時間を短くすることで、消費電力を低減した冷蔵庫を提供することを目的とする。
【課題を解決するための手段】
【０００６】
上記課題を解決するための手段は、特許請求の範囲に記載の手段を採用する。一例として、ガラス管内にコイル状に巻かれたヒータ線を有する除霜ヒータを冷却器の下方に備えた冷蔵庫において、前記ガラス管の外周に放熱部材を備え、前記放熱部材は帯状薄板をコイル状に巻き付け、内周がガラス管の外周に接するか若しくは近接するように前記ガラス管に取付けられており、且つ、前記放熱部材の外周に曲げ部を複数有する。
【発明の効果】
【０００７】
本発明によれば、除霜ヒータの熱を効率良く冷却器に伝え除霜時間を短縮して、貯蔵室内への熱の流入を抑制し冷却時間を短くすることで、消費電力を低減した冷蔵庫を提供することができる。
【図面の簡単な説明】
【０００８】
【図１】本発明の一実施形態に係る冷蔵庫の縦断面図である。
【図２】放熱フィンの説明図である。
【図３】図１の要部拡大図である。
【図４】図２の除霜ヒータ横断面説明図である。
【図５】本発明の一実施形態に係る冷蔵庫の冷却器室の断面図である。
【発明を実施するための形態】
【０００９】
本発明は、ガラス管内にコイル状に巻かれたヒータ線を有する除霜ヒータを冷却器の下方に備えた冷蔵庫において、前記ガラス管の外周に放熱部材を備え、前記放熱部材は帯状薄板をコイル状に巻き付け、内周がガラス管の外周に接するか若しくは近接するように前記ガラス管に取付けられており、且つ、前記放熱部材の外周に曲げ部を複数有する。
【００１０】
これにより、除霜時に放射される熱線を反射することができ、除霜ヒータの熱を効率良く冷却器に伝え除霜時間を短縮することできる。また、貯蔵室内への熱の流入を抑制し冷却時間を短くすることで、消費電力を低減することができる。
【００１１】
さらに、前記放熱部材の前記曲げ部の曲げ方向は、前記冷蔵庫内に有する庫内送風ファンの回転方向に沿っており、前記庫内送風ファンによる風の流れを阻害しない構成とする。これにより、冷気流れの抵抗を低減して、貯蔵室の冷却効率が向上する。
【００１２】
さらに、前記放熱部材の前記曲げ部の曲げ方向は、前記除霜ヒータの側方に位置する冷気戻り口からの風の流れを阻害しない向きである。これにより、冷気戻り口より熱線が貯蔵室内に流入することを抑制することができる。
【００１３】
さらに、前記放熱部材の前記曲げ部同士が接するか近接して、前記除霜ヒータを貯蔵室側から見たとき、前記曲げ部により前記ガラス管の全部若しくは一部を遮断する。これにより、除霜時の熱線が貯蔵室に流入することが抑制できるとともに、貯蔵室内側から使用者がヒータの赤色を視認することを抑制できる。
【００１４】
さらに、前記除霜ヒータは、前記冷却器の投影面にある貯蔵室の底面よりも下部に配置した。これにより、除霜時に放射される熱線を反射することができ、熱線が貯蔵室内に流入するのを抑制することができる。
【００１５】
以下、本発明の実施例を図１から図５を用いて説明する。図１は、本発明の一実施形態に係る冷蔵庫の縦断面図である。図２は、放熱フィンの説明図である。図３は、図１の要部拡大図である。図４は、図２の除霜ヒータ横断面説明図である。図５は、本発明の一実施形態に係る冷蔵庫の冷却器室の断面図である。
【００１６】
冷蔵庫本体１０１は内部に冷蔵室１０２と冷凍室１０３と野菜室１０４を有している。各貯蔵室の前面には開口部を閉塞する冷蔵室扉１０６、冷凍室扉１０７、野菜室扉１０８が備えられている。
【００１７】
冷凍室１０３の背部には、区画仕切１０９によって仕切られた冷却器室１０５が配置され、この冷却器室１０５内には冷却器１１２、除霜ヒータ１１３、冷気循環ファン１１４が設けられている。
【００１８】
除霜ヒータ１１３は冷却器１１２の下方に配置され、冷却器の上方に配置された冷気循環ファン１１４によって、冷却器室１０５内の下方から流入した戻り冷気が上方へと送られる。上方へと送られた冷気は冷却器１１２により冷却され、区画仕切１０９を通ってそれぞれ冷蔵室１０２、冷凍室１０３、野菜室１０４に分配される。
【００１９】
冷蔵室１０２は、冷蔵室１０２内の背部に設けられた冷蔵室冷気分配仕切１１０の吹出口、冷凍室１０３は、区画仕切１０９の前部に配置された冷凍室冷気分配仕切１１１に設けられた冷気吹出口により、それぞれ吹出される。
【００２０】
冷凍室１０３の戻り冷気は、冷凍室容器１１６の底面と冷凍室１０３及び野菜室１０４を仕切る中仕切１１７の間を通って冷凍室冷気分配仕切１１１の冷気戻り口１１８を通って、冷却器１１２に冷気循環ファン１１４によって導かれる。
【００２１】
本実施例では、冷凍室１０３の冷気戻り口１１８よりも除霜ヒータ１１３が下方に設置されている。除霜ヒータ１１３に巻き付けられた放熱フィン１１３ａの貯蔵室側を折り曲げており、除霜時に放射される熱線を反射することができ、冷気戻り口１１８より熱線が冷凍室内に流入するのを抑制することができる。
【００２２】
本実施例では、貯蔵室側を折り曲げた内容にて説明しているが、熱を伝えたくない向きがそれぞれ異なるので、用途によって折り曲げる位置を変えてもよい。
【００２３】
また、冷凍室１０３の冷気戻り口１１８側の放熱フィン１１３ａの一部を折り曲げることで、使用者が正面から見たときにガラス管が見えないようになり、ガラス管より放射される熱線も反射することができる。これにより、除霜時の熱線が冷凍室１０３に流入することが抑制できるため、温度復帰にかかる時間を低減できるほか、効率よく除霜を行うことができるため消費電力の低減を図ることができる。
【００２４】
冷却器室１０５には、冷蔵室１０２内の食品と熱交換した冷気を冷却器１１２に戻す冷気戻り通路１１９があり、除霜ヒータ１１３の右方より戻され冷却器１１２に冷気循環ファン１１４によって導かれる。
【００２５】
冷気循環ファン１１４の回転方向に沿うように除霜ヒータ１１３に巻き付けられた放熱フィンを曲げておくことで、風の流れを阻害していた要因を抑制することができるほか、循環効率を上げることで効率の改善を図ることができ、消費電力量の低減を図ることができる。
【符号の説明】
【００２６】
１０１  冷蔵庫本体
１０２  冷蔵室
１０３  冷凍室
１０４  野菜室
１０５  冷却器室
１０６  冷蔵室扉
１０７  冷凍室扉
１０８  野菜室扉
１０９  区画仕切
１１０  冷蔵室冷気分配仕切
１１１  冷凍室冷気分配仕切
１１２  冷却器
１１３  除霜ヒータ
１１３ａ  放熱フィン
１１４  冷気循環ファン
１１６  冷凍室容器
１１７  中仕切
１１８  冷気戻り口
１１９  冷気戻り通路
【図１】
2013024443.tif 000003
【図２】
2013024443.tif 000004
【図３】
2013024443.tif 000005
【図４】
2013024443.tif 000006
【図５】
2013024443.tif 000007